(57)【要約】      （修正有）【課題】高さ調節可能に形成されたパネルと通常パネルとの並設（横列接続）を、通常パネル同士の接続の場合と同じ態様でできるようにすると共に、高さ調節機構を簡潔な構造にした高さ調節自在の間仕切パネルを提供する。【解決手段】本体パネル１の平断面に即した平断面形状で、かつ、本体パネル１の平断面内に収まる平断面に形成した高さ調節用パネル体１１と、該高さ調節用パネル体１１の下端部に、その左右幅方向に沿って配設され前記本体パネル１の左右側の裏面縁４，５に外面から当接する帯状体１２と該帯状体１２内面の左，右側部に配設されると共に外端部が前記本体パネル１の左右側の裏面縁４，５に内面から当接する圧着子と締込部材により形成された高さ調節用パネル体１１の固定機構とを備えてなり、前記締込部材を緩めて高さ調節用パネル体１１を本体パネル１に対して上，下動させ、所望高さにおいて当該締込部材を締込むことにより、高さ調節するようにした。【選択図】図１
0003155658.tif 000002
【実用新案登録請求の範囲】
【請求項１】
平面から見て左右両側に並設用の段部を備えた通常パネルによる本体パネルと、当該本体パネルの平断面に即した平断面形状で、かつ、本体パネルの平断面内に収まる平断面に形成した高さ調節用パネル体と、該高さ調節用パネル体の下端部に、その左右幅方向に沿って配設され前記本体パネルの左右側の裏面縁を挟持するクランプ状部材によりボルト様の締込部材で締込むようにした固定機構を備え、前記締込部材を緩めて高さ調節用パネル体を本体パネルに対して上，下動させ所望高さにおいて当該締込部材を締込むことにより、高さ調節するようにしたことを特徴とする高さ調節自在の間仕切パネル。
【請求項２】
平面から見て左右両側に並設用の段部を備えた通常パネルによる本体パネルと、当該本体パネルの平断面に即した平断面形状で、かつ、本体パネルの平断面内に収まる平断面に形成した高さ調節用パネル体と、該高さ調節用パネル体の下端部に、その左右幅方向に沿って配設され前記本体パネルの左右側の裏面縁に外面から当接する帯状体と該帯状体内面の左，右側部に配設されると共に外端部が前記本体パネルの左右側の裏面縁に内面から当接する圧着子と前記帯状体と圧着子とを緊締，弛緩するボルト様の締込部材により形成された高さ調節用パネル体の固定機構とを備えてなり、前記締込部材を緩めて高さ調節用パネル体を本体パネルに対して上，下動させ所望高さにおいて当該締込部材を締込むことにより、高さ調節するようにした請求項１の高さ調節自在の間仕切パネル。
【請求項３】
高さ調節用パネル体の下端部には、ボルトとボルト受け筒で調節可能に連結された固定機構を２段平行に設けた請求項１又は２の高さ調節自在の間仕切パネル。
【考案の詳細な説明】
【技術分野】
【０００１】
本考案は天井と床を備えた構内や屋内などの建築作業空間において、構内工事といわれる駅ホーム工事、エレベータやエスカレータ設置工事のような改修工事の際に使用して有用な間仕切パネルに関する。
【背景技術】
【０００２】
天井と床がある構内や屋内において、例えば、改修工事現場と歩道を区画して間仕切る間仕切パネルは公知である。しかも、その間仕切パネルは天井の高さが異なる場所でも自在に使用できるように、使用する各パネルの全高を所定範囲内で自由に調節できる機能を具備したものが、特許文献１や同２などによっても知られている。
【０００３】
しかし、特許文献１、同２で知られている高さ調節機能を備えた間仕切パネルは、特許文献１のものはパネルの側面に高さ調節用の操作部が配設されているため、通常パネルとの並列設置が困難乃至不可能な場合がある。この問題を解消するために工夫された特許文献２のパネルでは、高さ調節のための機構や操作部をパネルの背面側に移した構成を採ったが、調節機構が相当に複雑であるため、部品点数が多くなって組立に手間取り、それが製造コストに及ぶ難点のほか、複雑構造ゆえに動作部分の作動不良が生じ易いなど、別の問題を抱えている。
【先行技術文献】
【特許文献】
【０００４】
【特許文献１】特開２００５−２７３４０２号公報
【特許文献２】特開２００７−３３２５８０号公報
【考案の概要】
【考案が解決しようとする課題】
【０００５】
そこで本考案では、高さ調節用のパネル体、及び、高さ調節機構を、通常パネルと同じ断面構造を備えた本体パネルの平断面の内側に収めて、高さ調節可能に形成されたパネルと通常パネルとの並設（横列接続）を、通常パネル同士の接続の場合と同じ態様でできるようにすると共に、高さ調節機構を簡潔な構造にした高さ調節自在の間仕切パネルを提供することを、課題とする。
【課題を解決するための手段】
【０００６】
上記課題を解決することを目的としてなされた本考案高さ調節自在の間仕切パネルの構成は、平面から見て左右両側に並設用の段部を備えた通常パネルによる本体パネルと、当該本体パネルの平断面に即した平断面形状で、かつ、本体パネルの平断面内に収まる平断面に形成した高さ調節用パネル体と、該高さ調節用パネル体の下端部に、その左右幅方向に沿って配設され前記本体パネルの左右側の裏面縁に外面から当接する帯状体と該帯状体内面の左，右側部に配設されると共に外端部が前記本体パネルの左右側の裏面縁に内面から当接する圧着子と前記帯状体と圧着子とを緊締，弛緩するボルト様の締込部材により形成された高さ調節用パネル体の固定機構とを備えてなり、前記締込部材を緩めて高さ調節用パネル体を本体パネルに対して上，下動させ、所望高さにおいて当該締込部材を締込むことにより、高さ調節するようにしたことを特徴とするものである。
【考案の効果】
【０００７】
本考案では、本体パネルの平断面内に収めた高さ調節用パネル体の下端部に、その左右幅方向に沿って配設され前記本体パネルの左右側の裏面縁に外面から当接する当接部を有する帯状体と、該帯状体内部の左，右側に配設されると共に外端部が前記本体パネルの左右側の裏面縁に内面から当接する圧着子と、前記裏面縁を挟持した帯状体と圧着子とを緊締，弛緩するボルト様の締込部材により構成され、高さ調節用パネル体を本体パネルに固定するための固定機構を設けたので、高さ調節可能な間仕切パネルを、至って簡潔な構造により実現でき、従って、低コストで高さ調節間仕切パネルを提供することができる。
【０００８】
本考案間仕切パネルは、金属製パネル、プラスチック製パネルのいずれにも適用することができる。この場合において、高さ調節用パネル体の固定機構も、金属材又はプラスチック材のいずれで形成してもよいが、金属材で形成することが好ましい。
【図面の簡単な説明】
【０００９】
【図１】本考案高さ調節間仕切パネルを使用した構内間仕切の要部の正面図。
【図２】高さ調節用パネル体の背面図。
【図３】図２のパネル体上端の平面図。
【図４】本考案間仕切パネルにおける高さ調節機構を説明するための要部の左半を断面にした平面図。
【図５】本考案における固定機構の別例の正面図。
【考案を実施するための形態】
【００１０】
図１と図４において、１は、平面から見てパネル同士を左右両側に並設する時に隣接パネルの対応部位に嵌り合う段部２，３を形成すると共に、その段部２，３を裏面側へ90度折曲げた形態の裏面縁４，５を形成した通常型の間仕切パネルによる本体パネルである。前記段部２，３は、左右側で点対称の関係になる断面形状である。なお、このパネル１の正面幅は、通常450mm前後であるが、本考案はこの幅のパネル１に限られるものではない。
【００１１】
上記の通常型パネルによる本体パネル１は、同じパネル１を左右に並べると、前記段部２，３において隣り合うパネル同士が嵌り合うので、隙間なく列設することができる。なお、隣接したパネル１同士は、嵌り合っている段部２，３の裏面縁４，５の折返片4a，5aの部位を、図示しないクランプなどの結合手段によって拘束し、隣接するパネル１，１同士が分離しないようにして立設される。
【００１２】
図1〜図４において、11は、上記の本体パネル１の平断面から見た内部側に、密に遊嵌できるように本体パネル１の平断面形状に則した平断面形状を有する高さ調節用パネル体である。図示したパネル体11では、本体パネル１における段部２，３に対応する段部21，31を左右側部に有するが、本体パネル１の裏面縁４，５に対応する構成は具備していない。
【００１３】
上記の高さ調節用パネル体11は、その下端左右側の隅部に四角形の切欠部11a，11bが形成されている（図２参照）。そしてこのパネル体11の裏面の下端部には、断面が横向き略凹状（又は溝状）の帯状体12が設けられている（図２，図４参照）。帯状体12における横向き凹状（溝部）の左，右外端部は前記切欠部11a，11bの内側に合うように位置付けられ、切欠部11a，11bに対向する部位には溝部がない翼状の当接片12a，12bに形成されている。前記当接片12a，12bは、本体パネル１の裏面縁４，５の外面上に重複する形態になる（図４参照）。
【００１４】
13，14は、上記帯状体12における左右外端近くの溝部内に設けたクランプ舌片で、両舌片13，14の先端部13a，14aは90度近く曲げられて本体パネル１の裏面縁４，５の内面に当接できるように形成されている。
このクランプ舌片13，14は、帯状体12に設けたボルト穴を通して、当該舌片13，14の中間部に設けたネジ穴13b，14bに螺合される固定ボルト15，16を締付部材として具備している。前記ボルト15，16の頭部は当該帯状体12の外面側に位置付けられている。
【００１５】
以上の帯状体12からボルト15，16までの構成によって、高さ調節用パネル体11の本体パネル１に対する固定機構Fmを形成する。
【００１６】
上記の固定機構Fmを備えた高さ調節用パネル11体は、固定機構Fmのボルト15，16を緩めた状態にして、本体パネル１の例えば上端側から、その左右の段部２，３の内部側に高さ調節用パネル体11の左右の段部21，31を合わせて挿入し、平面または平断面から見ると両パネル１と11が図４に例示する態様で、背面から見ると図１に例示する態様となるように配置する。
【００１７】
そして、図１に示すように高さ調節用パネル体11を備えた本体パネル１は、その下端を床Ｆに設けた下部ランナーRbに支持させる一方、高さ調節用パネル体11を、天井Ｃに設けた上部ランナーRtにその上端を当接させた状態で（図１参照）、固定機構Fmのボルト15，16を締め込むと、当接片12aと舌片13の先端13aが本体パネル１の左側の裏面縁４をその内外面から強力に挟持し、また、当接片12bと舌片14の先端14aが本体パネル１の右側の裏面縁５をその内外面から強力に挟持するので、高さ調節パネル体11を本体パネル１に対して所望の高さに調節し位置決めすることができる（図１参照）。
【００１８】
図１において、40，41と50，51は、設置した本考案パネルによる間仕切装置の中間部の出入口に配置した２組の折戸、61は出入口の枠、10と111は、前記折戸40，41、50，51の巾木又は框62の上方に配置した小サイズの本体パネル10と該パネル10に装着した高さ調節用パネル体111である。この小サイズの本体パネル10と高さ調節用パネル体111の係合関係とその固定機構は、上記実施例におけるパネル１とパネル体11の係合関係とその固定機構Fmと同じであるから、詳細は略す。なお、121は前記パネル体111の固定構造における帯状体である。この結果、本考案では間仕切パネル全体の高さを、パネル体１，10に対する高さ調節パネル体11，111による調節可能な範囲において、自由に調節することができることになる。
【００１９】
上記実施例において、高さ調節用パネル体11の固定機構Fmは、帯状体12からボルト15，16まで各部材が一つ備えられたシングル形態の構造であった。このため、例えば固定ボルト15と16の締付力に差があると、高さ調節パネル体11が本体パネル１に対して傾きが生じ、高さ調節用パネル体11の上端と天井の間に隙間が生じるなどの問題が考えられる。
【００２０】
そこで本考案では、図５に例示するように、帯状体12からボルト15，16までの固定機構Fmを２段構造（ダブル形態、Fm１とFm２）に形成し、上の固定機構Fm1のロックボルト15，16のみの締付けにより本体パネル１を固定する際、図５の上位の固定構造Fm１のボルト15又は16に片効きがあると、本体パネル１と高さ調節用パネル体11の間に傾きが生じる。この場合には、下位の固定機構Fm２のボルト15,16を締め込むと共に、左，右２本の垂直ボルト17とボルト受け筒18の螺合深さ（進入深さ）を、一方のボルト17の回転により調整し、本体パネル１とパネル体11の傾きを解消させてからをロックナット19によりこの姿勢を固定する。
【００２１】
このように上，下の固定機構Fm１とFm２の作用によって固定ボルト15,16の片効きによるパネル体11と本体パネル１の間に生じた傾き、即ち、高さ調節用パネル体１１の上端と天井面側の傾き隙間を無くすように調節できる。なお、図５において、図１〜図４と同一部材は、同一符号を用いた。また、図５において12cは帯本体12に設けたボルト17の受けナットである。
【産業上の利用可能性】
【００２２】
本考案は以上の通りであって、高さ調節間仕切パネルを、本体パネルの平断面内に収めた高さ調節用パネル体の下端部に、その左右幅方向に沿って配設され前記本体パネルの左右側の裏面縁に外面から当接する帯状体と、該帯状体内面の左，右側部に配設されると共に外端部が前記本体パネルの左右側の裏面縁に内面から当接する圧着子と、前記帯状体と圧着子とを緊締，弛緩するボルト様の締込部材により高さ調節用パネル体を本体パネルに固定するための固定機構を設けたので、高さ調節可能な間仕切パネルを、至って簡潔な構造により実現でき、従って、低コストで高さ調節間仕切パネルを提供することができる。
【符号の説明】
【００２３】
１        本体パネル
２，３    段部
４，５    裏面縁
11        高さ調節用パネル体
21，31    段部
Fm1，Fm2  固定機構
12        帯状体
13，14    クランプ舌片
15，16    固定ボルト
【図１】
0003155658.tif 000003
【図２】
0003155658.tif 000004
【図３】
0003155658.tif 000005
【図４】
0003155658.tif 000006
【図５】
0003155658.tif 000007